(57)【要約】  本発明は、金融取引を支援するシステムに関する。為替売買システムであり、該システムは、買付についての情報にアクセスし、該情報をユーザの端末に出力する特徴の他、気配値の額及び該気配値に対する最小価格変化の額に関する増減に対する投資額を入力する特徴を有するコンピュータ援用装置を含む。為替に関するリアルタイムの売買セッションのための端末であって、該通信のプロトコル又は無線データ伝送技術のプロトコルに対応する移動通信装置になる端末を、使用する。コンピュータ援用装置を、ユーザの口座にある金額内で投資及び損益計算を行う特徴を有するサーバとする。個人ユーザの口座状態に対する制御ユニットは、売買を主催する組織に登録したユーザの口座の状態及び該口座の振替（ｃｒｅｄｉｔｉｎｇ）に対して、決済システム及び入金装置によって制御し、ユーザの個人口座に振込する又は現金で支払うという特徴を有する。【選択図】図１【特許請求の範囲】
【請求項１】
為替売買システムであり、該システムは、買付についての情報にアクセスし、該情報をユーザの端末に出力する特徴の他、少なくとも１つの気配値の額及び該気配値に対する少なくとも１つの最小価格変化の額に関する増減に対する投資額を入力する特徴を有するコンピュータ援用装置の他、為替に関するリアルタイムの売買セッションのための端末であって、該通信のプロトコル又は無線データ伝送技術のプロトコルに対応する移動通信装置になる端末を含み、その結果前記特定したコンピュータ援用装置を、ユーザの口座にある金額内で投資及び損益計算を行う特徴を有するサーバとする為替売買システムであって、サーバの形をした前記特定したコンピュータ援用装置には、移動体通信事業者の請求システムに関する情報に基づいて、ユーザの口座状態を制御し、売買結果に従い、該口座へ／から金銭を振込又は償却する特徴を有することを特徴とする為替売買システム。
【請求項２】
為替売買システムであり、該システムは、買付についての情報にアクセスし、該情報をユーザの端末に出力する特徴の他、少なくとも１つの気配値の額及び該気配値に対する少なくとも１つの最小価格変化の額に関する増減に対する投資額を入力する特徴を有するコンピュータ援用装置と、ユーザの口座に対する制御ユニットの他、為替に関するリアルタイムの売買セッションのための端末であって、該通信のプロトコル又は無線データ伝送技術のプロトコルに対応する移動通信装置になる端末を含み、その結果前記特定したコンピュータ援用装置を、前記ユーザの口座にある金額内で投資及び損益計算を行う特徴を有するサーバとする為替売買システムであって、前記個人ユーザの口座状態に対する制御ユニットは、売買を主催する組織に登録したユーザの口座の状態及び該口座の振替（ｃｒｅｄｉｔｉｎｇ）に対して、決済システム及び入金装置によって制御し、前記ユーザの個人口座に振込する又は現金で支払うという特徴を有することを特徴とする為替売買システム。
【発明の詳細な説明】
【技術分野】
【０００１】
本発明は、迅速な売買、及び売買の結果得られる物質的報酬の迅速な分配を提供する、金融取引を支援するシステムに関する。
【背景技術】
【０００２】
従来技術は、為替売買システムであり、該システムが含むのは、コンピュータ；コンピュータが受信した買付についての多数の情報セット、該買付についての上記情報セット其々が、第１売買者の売買セッションを説明し、；コンピュータが受信した売買の気配値の配当についての多数の情報セット、該売買の気配値についての上記情報セット其々は、第２売買者の注文による売買について説明し、；事前に設定した売買に関する許容可能なパラメータのセット、及び買付についての情報セットと売買の気配値についての情報セットとを比較し、買付についての情報セットと売買の気配値についての情報セットが、事前に設定した売買に関する許容可能なパラメータのセットの範囲内にあれば、一致と規定する、コンピュータで実行するソフトウェア機能である（ロシア国特許第２，２５９，５８６号（Ｇ０６Ｆ１７／６０）２００５年８月２７日公開）。
【０００３】
このシステムの欠点は、ハードウェアが複雑なだけでなく、売買に参加するために正式に登録した人だけを除いて、他の人々が売買に遠隔アクセスできないようにする機能が不十分なことである。
【０００４】
当該技術分野において、為替売買システムであり、該システムが、買付についての情報にアクセスし、該情報をユーザの端末に出力する特徴の他、１通貨ペアの額及び同通貨ペアに関する１最小価格変化の額に対する増減に対する投資額を入力する特徴を有するコンピュータ援用装置の他、ユーザの口座に対する、ひいてはリアルタイムの為替売買セッションに対する制御ユニットを含む為替売買システムであって、携帯電話対応ＷＡＰモードを、端末として使用し、該モードによって、買付人は、為替に関して認定されたブローカに電話して、予め為替口座に振込した金額内で売／買するように指示を出す（インターネット上の＜Ｂｅｔｆｏｒｅｘ．ｒｕ＞公式サイト参照：ｈｔｔｐ：／／ｗｗｗ．ｂｅｔｆｏｒｅｘ．ｒｕ／ｐａｒｔｎｅｒ．ｈｔｍｌ、該サイトでは、売買セッションをオンラインで行える、２００４−２００５）が知られている。
【０００５】
このシステムの短所は、売買セッションに参加するのに、まず売買者は、為替口座に一定の金額を振込し、当該為替ブローカと契約を結ぶ必要があり、売買への参加は間接的、即ち、ブローカへの指示を与えることで参加する点である。かかるシステムは、柔軟でなく、また売買の金融部分を即座に解決できない、例えば、開始したセッションを継続して、中断しないように、為替の口座を即座に振替（ｃｒｅｄｉｔ）できないとするのが、妥当である。電話対応ＷＡＰモードの使用は、直接モニタに気配値を受信する機会を持ち、受信した情報に基づいて、同じ電話でブローカに指示を与えるためだけに、必要である。
【０００６】
ロシア国特許第６７７４４号（Ｇ０６Ｆ１７／００、２００７年１０月２７日公開）から、従来技術として、買付についての情報にアクセスし、該情報をユーザの端末に出力する特徴の他、気配値の額及び該気配値に対する１最小価格の額に関する増減に対する投資額を入力する特徴を有するコンピュータ援用装置の他、ユーザの口座に対する制御ユニットを含み、従って、ＷＡＰモードに対応する携帯電話を、端末として使用し、上記コンピュータ援用装置を、移動体通信事業者のサーバとし、移動体通信事業者の請求システムを、ユーザの口座に対する制御ユニットとして使用して、ユーザの携帯電話口座の金額内で投資額及び損益計算を制御する、為替売買システムがある。また、上記コンピュータ援用装置を、ユーザの携帯電話口座にある金額内で投資及び損益計算を行う特徴、及び当該金額の一部を、該口座から、ＷＡＰモードを使用する移動体通信事業者に振込する特徴を有するサーバとするオプションもある。
【０００７】
このシステムの短所は、口座振替（ａｃｃｏｕｎｔ  ｃｒｅｄｉｔｉｎｇ）、プレミアムの受取に関する現代的なメカニズムを使用する可能性を提供できず、また口座状態の制御を、移動体通信事業者の口座にある金額以外の金額をユーザが使用する可能性を限定する請求システムに任せる点である。  
【発明の概要】
【発明が解決しようとする課題】
【０００８】
以下の解決方法は、プロトタイプとして認められる。本発明の目的は、遠隔アクセスで且つリアルタイムモードで売買セッションにアクセスする金融的可能性を促進することから成る技術的成果を達成することである。
【課題を解決するための手段】
【０００９】
第１システムで主張する技術的成果を、為替売買システムで達成するが、該システムは、買付についての情報にアクセスし、該情報をユーザの端末に出力する特徴の他、少なくとも１つの気配値の額及び該気配値に対する少なくとも１つの最小価格変化の額に関する増減に対する投資額を入力する特徴を有するコンピュータ援用装置と、ユーザの口座に対する制御ユニットの他、為替に関するリアルタイムの売買セッションのための端末であって、該通信のプロトコル又は無線データ伝送技術のプロトコルに対応する移動通信装置となる端末を含み、その結果特定したコンピュータ援用装置を、ユーザの口座にある金額内で投資及び損益計算を行う特徴を有するサーバとし、サーバの形をした特定したコンピュータ援用装置には、移動体通信事業者の請求システムに関する情報に基づいて、ユーザの口座状態を制御し、売買結果に従い、該口座へ／から金額を振込又は償却する特徴を有する。
【００１０】
第２システムで主張する技術的成果を、為替売買システムで達成するが、該システムは、買付についての情報にアクセスし、該情報をユーザの端末に出力する特徴の他、少なくとも１つの気配値の額及び該気配値に対する少なくとも１つの最小価格変化の額に関する増減に対する投資額を入力する特徴を有するコンピュータ援用装置と、ユーザの口座に対する制御ユニットの他、為替に関するリアルタイムの売買セッションのための端末であって、該通信のプロトコル又は無線データ伝送技術のプロトコルに対応する移動通信装置になる端末を含み、その結果特定したコンピュータ援用装置を、ユーザの口座にある金額内で投資及び損益計算を行う特徴を有するサーバとし、ユーザの口座に対する制御ユニットは、売買を主催する組織に登録したユーザの口座の状態及び該口座の振替（ｃｒｅｄｉｔｉｎｇ）状態に対して、決済システム及び入金装置によって制御し、ユーザの個人口座に振込する又は現金で支払うという特徴を有する。
【００１１】
明記した特徴は必須であり、要求される技術的成果を享受するのに十分な、確固とした本質的な特徴のセットを開発することと相互に連係している。
【００１２】
本発明について、具体的な事例の実施形態で説明するが、該実施形態は唯一ではなく、要求した技術的結果を達成する可能性を示すものである。
【図面の簡単な説明】
【００１３】
【図１】移動体通信事業者の１課金構成を使用するシステムの第１設計オプション。
【図２】売買主催者の料金体系を使用した実施例による、本システムの第２設計オプション。
【発明を実施するための形態】
【００１４】
本発明に従い、売買システムの第１設計オプションを、図１で説明している。このシステムは、コンピュータ援用装置１を含み、該装置は、例えばインターネット２によって、買付についての情報３にアクセスし、該情報をユーザの端末４に出力する特徴の他、通貨ペアの額、及び当該通貨ペアの１最小価格変化の額に関する増減に対する投資額を入力する特徴を有する。  
【００１５】
リアルタイムモードで売買セッションを行えるように、携帯電話を、移動体事業者の通信網４において、この通信のプロトコル５又は無線データ伝送技術６のプロトコル５に対応して、機能する端末として使用する。
【００１６】
コンピュータ援用装置１を、ユーザの口座にある金額内で投資及び損益計算を行う特徴を有するサーバとする。サーバの形をしたこのコンピュータ援用装置１は、移動体通信事業者４の請求システム７に関する情報に基づいて、ユーザの口座状態を制御し、売買結果に従い該口座へ／から金銭を振込又は償却する特徴を有する。移動体通信事業者４の請求システム７を、ユーザの口座のための、且つユーザの携帯電話の口座にある金額内で、投資及び損益計算を行うための制御ユニットとする。
【００１７】
「Ｒｅｕｔｅｒ」、「Ｔｅｎｆｏｒｅ」、「ＢＣｏｍｂｅｒｇ」のような情報源を、ＷＡＰ−ＭＴＳ．ＲＵのサービス４を通じて使用し、気配値を携帯電話５上に表示し、クライアントが行う取引を記録及び処理する。クライアントはリアルタイムモードで、携帯電話５から電話の口座にある金額内で通貨ペアに対する取引を行い、該情報を装置１に転送する。一定の金額に対するプレミアム（損失）の決済を、携帯電話ユーザの口座に又は口座から行う。
【００１８】
本システムの第２設計オプションを、図２で説明する。本システムの請求部分を除いて主な構成要素はそのままで、第１設計オプションと異なる点として、第２オプションでは、個人ユーザの口座状態に対する制御ユニット８があり、該ユニットは、売買主催者である組織９に登録したユーザの口座状態及び該口座の振替（ｃｒｅｄｉｔｉｎｇ）を、異なるメカニズムを有する決済システム１０及び入金装置１１によって制御し、金銭をユーザの個人口座１２に振込する又は現金１３で支払うという特徴を有することを特徴とする。
【００１９】
本発明は、実生活の携帯電話通信の構造、及び情報機関への遠隔アクセスモードを使用して実装できるので、産業上利用可能である。
【符号の説明】
【００２０】
１      コンピュータ援用装置
２      インターネット
３      情報
４      移動体通信事業者
５      プロトコル
６      無線データ伝送技術
７      請求システム
８      制御ユニット
９      組織
１０    決済システム
１１    入金装置
１２    個人口座
１３    現金
【図１】
2014504758.tif 000002
【図２】
2014504758.tif 000003
【国際調査報告】
2014504758.tif 000004
2014504758.tif 000005